(57)【要約】【課題】エーリアン漏話抑制コアを使用し、通信チャンネルのエーリアン漏話を減少する。【解決手段】電気通信ケーブルには、エーリアン漏話抑制コアを設けられてもよい。エーリアン漏話抑制コアは、フェライト抑制コアであってもよく、通信ケーブル内の幾つかの又は全ての撚線対に別々に設置される。エーリアン漏話抑制コアは、通信ケーブルが互いに近接して設置される場合に高周波数通信におけるＡＮＥＸＴ及びＡＦＥＸＴを減少する。エーリアン漏話抑制コアは、更に、通信ジャック内のＰＣＢ等の他の通信チャンネル構成要素に組み込まれてもよい。【選択図】図１
2008527947.tif 000002
【特許請求の範囲】
【請求項１】
通信ケーブルにおいて、
複数の導体対と、
少なくとも二つのエーリアン漏話抑制コアとを有し、
前記エーリアン漏話抑制コアの各々は、前記通信ケーブルの一部で、前記複数の導体対の一つを取り囲み、前記エーリアン漏話抑制コアの各々は二つの半部を含み、これらの半部は、前記導体対の周囲に設置され且つハウジング内に取り付けられる、通信ケーブル。
【請求項２】
請求項１に記載の通信チャンネルにおいて、
前記エーリアン漏話抑制コアは、フェライトコアである、通信チャンネル。
【請求項３】
請求項１に記載の通信チャンネルにおいて、更に、
前記漏話抑制コアの周囲に組み立てられる外ハウジングを有する、通信チャンネル。
【請求項４】
請求項３に記載の通信チャンネルにおいて、更に、
前記外ハウジングの端部に位置決めされた応力解放部材を有する、通信チャンネル。
【請求項５】
通信コネクタにおいて、
前記コネクタ内に延びる複数の導体対と、
前記コネクタ部分内に取り付けられた少なくとも一つのエーリアン漏話抑制コアとを有し、
前記エーリアン漏話抑制コアは複数のチャンネルを有し、これらのチャンネルの各々は前記複数の導体対の一つを取り囲む、通信コネクタ。
【請求項６】
請求項６に記載の通信コネクタにおいて、更に、
プリント回路基板を有し、前記エーリアン漏話抑制コアは前記回路基板に設置される、通信コネクタ。
【請求項７】
請求項６に記載の通信コネクタにおいて、
４つの前記導体対が前記コネクタ内に延びており、前記エーリアン漏話抑制コアは、４つのチャンネルを持つ単一のコアを含み、前記４つのチャンネルの各々が前記導体対のうちの一つの導体対を取り囲む、通信コネクタ。
【請求項８】
請求項６に記載の通信コネクタにおいて、
４つの前記導体対が前記コネクタ内に延びており、前記エーリアン漏話抑制コアは、二つのチャンネルを持つ単一のコアを含み、前記二つのチャンネルの各々が前記導体対のうちの一つの導体対を取り囲む、通信コネクタ。
【請求項９】
請求項８に記載の通信コネクタにおいて、
前記エーリアン漏話抑制コアには、その長さに沿って窪みが設けられている、通信コネクタ。
【発明の詳細な説明】
【技術分野】
【０００１】
関連出願
本願は、２００５年１月１９日に出願された「抑制コアを備えた通信チャンネル」という表題の米国仮特許出願第６０／６４５，４１２号の恩恵を主張するものである。
【０００２】
本発明は、全体として通信チャンネルに関し、更に詳細には、エーリアン漏話抑制コアを持つ通信チャンネルに関する。
【背景技術】
【０００３】
多数の撚線対を含む通信ケーブルは一般的であり、４対ケーブルが広く使用されている。高速データネットワークでは、通信ケーブル内で、及び近くの通信ケーブル間で漏話が生じる。ケーブル内で発生する漏話には、近端漏話（ＮＥＸＴ）及び遠端漏話（ＦＥＸＴ）が含まれ、ケーブル間で生じるエーリアン漏話(alien crosstalk) には、エーリアン近端漏話（ＡＮＥＸＴ）及びエーリアン遠端漏話（ＡＦＥＸＴ）が含まれる。通信チャンネルにおけるエーリアン漏話を抑制することは重要である。これは、エーリアン漏話が通信チャンネルのＳ／Ｎ比を低下し、チャンネルのビット誤り率を高めてしまうためである。通信帯域幅が増大するに従って、通信ケーブルでエーリアン漏話等のノイズを減少することが益々重要になっている。
【０００４】
高帯域幅通信の用途では、通信ケーブルは、互いに側部と側部とを向き合わせて一緒に設置され、隣接した、即ち近くの通信ケーブル間でＡＮＥＸＴ及びＡＦＥＸＴが生じる。ＡＮＥＸＴ及びＡＦＥＸＴは、３００ＭＨｚ以上の周波数で更に問題になり、高い周波数でのＡＮＥＸＴ及びＡＦＥＸＴは、１０ギガビットのエザーネット信号(Ethernet signaling)等の高速データ伝送システムに存在する。３００ＭＨｚ以上の周波数でエーリアン漏話を減少するのが望ましい。
【特許文献１】米国仮特許出願第６０／６４５，４１２号
【発明の開示】
【発明が解決しようとする課題】
【０００５】
エーリアン漏話抑制コアを備えた改良通信ケーブルを提供する。
【課題を解決するための手段】
【０００６】
本発明の一実施例によれば、改良通信パッチコードがエーリアン漏話抑制コアを備えている。
本発明の幾つかの実施例によれば、エーリアン漏話抑制コアを、電気通信パッチコードに、このパッチコードの端部と近接した位置に配置する。
【０００７】
エーリアン漏話抑制コアを、特定の導体対の周囲に配置してもよい。例えば、本発明の一つの８導線（４対）パッチコードの実施例では、エーリアン漏話抑制コアを二対の導体に配置する。
【０００８】
幾つかの実施例では、エーリアン漏話抑制コアを特定の導体対に配置してもよい。例えば、一実施例では、エーリアン漏話抑制コアを、４対パッチコードの１−２対及び７−８対に配置する。
【０００９】
本発明によるエーリアン漏話抑制コアを、通信プラグ等の通信チャンネルの他の構成要素に組み込んでもよい。
本発明の幾つかの実施例によれば、エーリアン漏話抑制コアはフェライト材料で形成されている。
【発明を実施するための最良の形態】
【００１０】
ＡＮＥＸＴ及びＡＦＥＸＴは、コネクタでの導体対間のアンバランスな接続により生じる。８本の導体を含む撚線対チャンネルでは、導体は以下のように対をなしている。
第１対＝第４導線及び第５導線
第２対＝第１導線及び第２導線
第３対＝第３導線及び第６導線、及び
第４対＝第７導線及び第８導線。
【００１１】
例えば、第３対（即ち３−６対、これは、８本の導体を含む撚線対チャンネルの第３導線及び第６導線の対と対応する）がクロスオーバー対(crossover pair)であり、コネクタの中央第１対の両側に分割されており且つ配置された撚線対チャンネルでは、コネクタにおける第２対（即ち１−２対）と第３導線との間の接続は、第２対と第６導線との間の接続よりも大きい。同様に、コネクタにおける第４対（即ち７−８対）と第６導線との間の接続は、第４対と第３導線との間の接続よりも大きい。フェライト抑制コア等の抑制コアを通信チャンネルの特定の撚線対又は特定の撚線対と関連した導線に設置することより、通信チャンネル間のエーリアン漏話を減少できる。
【００１２】
ＡＮＥＸＴ及びＡＦＥＸＴに対する第２対及び第４対の寄与は、本発明の幾つかの実施例では、エーリアン漏話抑制コアをこれらの撚線対に配置することによって減少できる。図１は、エーリアン漏話抑制コア１２を第２撚線対１４及び第４撚線対１６に配置したパッチコード１０を示す。一実施例によれば、エーリアン漏話抑制コア１２はフェライトコアである。
【００１３】
図２は、図１の２−２線に沿った、パッチコード１０の断面図である。エーリアン漏話抑制コア１２は、第２撚線対１４及び第４撚線対１６の各々を取り囲んでいる。第１撚線対１８及び第３撚線対２０は、エーリアン漏話抑制コアを備えていない。別の実施例では、全ての４つの撚線対にエーリアン漏話抑制コアを別々に設けてもよい。エーリアン漏話抑制コアを、実際上できる限りプラグやジャックに近付けて配置してもよい。図３は、エーリアン漏話抑制コアが設置されていない別の部分でのパッチコード１０の断面を示す。図１、図２、及び図３に示す構造は、水平方向ケーブル(holizontal cable)に適用してもよい。
【００１４】
本発明の原理は、通信チャンネルの他の構成要素で使用してもよい。例えば、通信ジャック内のプリント回路基板（ＰＣＢ）にエーリアン漏話抑制装置を組み込んでもよい。図４は、第２導体対２４及び第４導体対２６と対応する導電性トレースを備えたＰＣＢ２２の平面図である。エーリアン漏話抑制フィルム２８がトレース２４及び２６の上に配置してある。一実施例によれば、エーリアン漏話抑制フィルム２８はフェライトフィルムである。図５は、ＰＣＢ２２の断面図であり、上フェライトフィルム３０及び下フェライトフィルム３２がＰＣＢ２２の両側に第２導体対トレース２４及び第４導体対トレース２６の位置に配置してある。
【００１５】
図６に示すように、ＰＣＢ２２を通してエーリアン漏話抑制コア３４を挿入してもよい。エーリアン漏話抑制コア３４は、それだけで使用してもよいし、フェライトフィルムと組み合わせて使用し、導電性トレースを取り囲んでもよい。
【００１６】
図７は、エーリアン漏話抑制アッセンブリ３７を備えたパッチコード等の通信ケーブルのセグメント３６の部分分解図である。撚線対は、単一の構成要素として簡略化して示してある。セグメント３６は、ケーブルの第２撚線対１４及び第４撚線対１６に設置されたエーリアン漏話抑制コア３８を有する。エーリアン漏話抑制コア３８の各々は、二つの半部４０でできている。エーリアン漏話抑制コア３８の半部４０は、撚線対１４及び１６を受け入れるための窪み４２を有する。導線の単一の撚線対の周囲に位置決めされた二つのコア半部４０が撚線対を取り囲む。ハウジング４４は、エーリアン漏話抑制コアを備えていない撚線対を含む撚線対を離間し且つ通す。ハウジング４４は、更に、エーリアン漏話抑制コア３８を、ケーブルの特定の撚線対の周囲で所望の位置及び配向で収容する。
【００１７】
エーリアン漏話抑制アッセンブリ３７は、先ず最初に、ケーブルの各端から所定距離のところでケーブルから所定長さの外装を除去することによってケーブルに設置してもよい。撚線対の各組をその最初のレイから分離し、扇状に拡げ、ケーブルの露呈された区分の中央を開放する。これは、ケーブルの露呈された区分でだけ行われ、好ましくは、この状態でケーブルの外装内にとどまっている撚線対に対する外乱を減少するように行われる。充填体、リップコード、又はセパレータテープ等のケーブルの任意の追加の構成要素を、ケーブルの露呈された区分から除去する。露呈された扇状に拡げた撚線対の中央にハウジング４４を挿入する。スプリットエーリアン漏話抑制コア３８を特定の撚線対上に組み立て、ハウジング４４に挿入し、抑制コアを備えていない撚線対を抑制コアの外側でハウジングに通す。次いで、丈夫な外ハウジングを製作し、ケーブルの露呈された区分、ハウジング４４、及びエーリアン漏話抑制コア３８上に適用し即ち組み立て、エーリアン漏話抑制アッセンブリを収容し、位置決めし、そして保護する。
【００１８】
現存の水平方向ケーブルを含む現存のケーブル工場は、本発明によるエーリアン漏話抑制コアで改装できる。
図８は、エーリアン漏話抑制アッセンブリ３７を備えたケーブルのセグメント３６を示す。このセグメント３６は、ケーブルの外装４６が除去してある。図９は、エーリアン漏話抑制アッセンブリ３７を覆う外ハウジング４８を被せて型成形した、即ちオーバーモールドしたケーブルのセグメント３６を示す。オーバーモールドした外ハウジング４８の両端に応力解放部材５０が設けられている。これらの応力解放部材５０は、ケーブル外装４６の切断した端部に対して適切な応力解放を提供し、ケーブルの変更部分の曲げ半径を標準の仕様に従って適切に制御する。オーバーモールドした外ハウジング４８は、オーバーモールド位置及びアッセンブリ特徴５２を備えていてもよい。
【００１９】
本発明による外ハウジングは、
熱収縮性チューブ又は同様の材料を、ケーブルの露呈された部分、ハウジング、及び抑制コアに被せ、エーリアン漏話抑制アッセンブリを収容し、位置決めし、保護し、
熱可塑性材料を、ケーブルの露呈された部分、ハウジング、及び抑制コア上で、オーバーモールドにより直接形成し、又は
丈夫なハウジングを提供するため、熱可塑性材料製の個々の構成要素を使用することによって形成されるが、これらに限定されない。
【００２０】
図１０は、エーリアン漏話抑制アッセンブリを覆う外ハウジング４８をオーバーモールドした通信用パッチコード５４の平面図である。
本発明の幾つかの実施例では、エーリアン漏話抑制コアを通信プラグに組み込んでもよい。図１１は、通信プラグ５６の概略側断面図であり、通信ケーブル５８及び第１撚線対１８、第２撚線対１４、第３撚線対２０、第４撚線対１６を示す。絶縁体除去接点（ＩＤＣ）５９が撚線対内の導線と接触する。図１２は、第２撚線対１４及び第４撚線対１６を取り囲むエーリアン漏話抑制コア６２を持つ通信プラグ６０の概略側断面図である。図１３は、ケーブル５８の４つの撚線対全てを個々に取り囲むエーリアン漏話抑制コア６６を持つ別の通信プラグ６４の概略側断面図である。
【００２１】
通信プラグに組み込むことができるエーリアン漏話抑制コアの様々な実施例を図１４乃至図１７に示す。図１４は、４対のチャンネルのうちの１−２対及び７−８対を取り囲むようになった二つの通路７０を持つエーリアン漏話抑制コア６８を示す。図１５のエーリアン漏話抑制コア７２は、４対のチャンネルのうちの１−２対及び７−８対を取り囲むようになった第１通路対７４、及び４対のチャンネルのうちの３−６対及び４−５対を取り囲むようになった第２通路対７６を有する。図１６は、４対のチャンネルのうちの１−２対及び７−８対を取り囲むようになった二つの通路８０を持つ別のエーリアン漏話抑制コア７８を示す。図１６のエーリアン漏話抑制コア７８は、窪み８１を有する。図１７は、第１及び第２の通路８６及び８８を持つ一対のエーリアン漏話抑制コア８２及び８４を示す。通路８６及び８８は、４対のチャンネルのうちの１−２対及び７−８対の各々を取り囲むようになっている。図１４乃至図１７のエーリアン漏話抑制コアは、プラグ、ジャック、又はこれらの両方に組み込むことができる。
【００２２】
本発明をパッチコードに関して説明したが、本発明によるエーリアン漏話抑制コアは、水平方向ケーブル等の別の種類の通信ケーブルに適用してもよいということは理解されるべきである。更に、本発明の幾つかの実施例では、エーリアン漏話抑制コア及びフィルムは、配線キャップやプラグに組み込んでもよいし、絶縁体除去接点の周囲に配置してもよい。
【００２３】
本発明の一実施例によれば、パッチコード、水平方向ケーブル、プラグ、及び通信チャンネルのジャックにエーリアン漏話抑制コアを組み込むことによって、エーリアン漏話を減少する。
【００２４】
本発明の特定の実施例及び用途を例示し且つ説明したが、本発明は、本明細書中に開示した正確な構造及び構成に限定されず、本明細書の精神及び範囲から逸脱することなく、様々な変形及び変更が以上の説明から明らかになるということは理解されるべきである。
【図面の簡単な説明】
【００２５】
【図１】図１は、本発明の一実施例による通信パッチコードの側面図である。
【図２】図２は、パッチコードの二つの撚線対に設置したエーリアン漏話抑制コアを示す、通信パッチコードの断面図である。
【図３】図３は、エーリアン漏話抑制コアが設置されていない位置での通信パッチコードの断面図である。
【図４】図４は、フェライトフィルムを導電性トレースの上に配置したプリント回路基板表面の平面図である。
【図５】図５は、プリント回路基板に設けられた、フェライトフィルムを備えた導電性トレースを示す、プリント回路基板の断面図である。
【図６】図６は、プリント回路基板に通したフェライトコアを示す、プリント回路基板の断面図である。
【図７】図７は、エーリアン漏話抑制コアアッセンブリが設けられたパッチコードのセグメントの部分分解斜視図である。
【図８】図８は、パッチコードのセグメント内に設置した、図７のエーリアン漏話抑制コアアッセンブリの斜視図である。
【図９】図９は、オーバーモールド及び応力解放部材を備えた図８のパッチコードの斜視図である。
【図１０】図１０は、パッチコードの平面図である。
【図１１】図１１は、通信プラグの側断面図である。
【図１２】図１２は、抑制コアを備えた通信プラグの側断面図である。
【図１３】図１３は、別の抑制コアを備えた通信プラグの側断面図である。
【図１４】図１４は、抑制コアの斜視図である。
【図１５】図１５は、別の抑制コアの斜視図である。
【図１６】図１６は、更に別の抑制コアの斜視図である。
【図１７】図１７は、二つの抑制コアの斜視図である。
【符号の説明】
【００２６】
１０  パッチコード
１２  エーリアン漏話抑制コア
１４  第２撚線対
１６  第４撚線対
１８  第１撚線対
２０  第３撚線対
２２  プリント回路基板（ＰＣＢ）
２４  第２導体対
２６  第４導体対
２８  エーリアン漏話抑制フィルム
３０  上フェライトフィルム
３２  下フェライトフィルム
３４  エーリアン漏話抑制コア
３７  エーリアン漏話抑制アッセンブリ
３６  セグメント
３８  エーリアン漏話抑制コア
４０  半部
４２  窪み
４４  ハウジング
【図１】
2008527947.tif 000003
【図２】
2008527947.tif 000004
【図３】
2008527947.tif 000005
【図４】
2008527947.tif 000006
【図５】
2008527947.tif 000007
【図６】
2008527947.tif 000008
【図７】
2008527947.tif 000009
【図８】
2008527947.tif 000010
【図９】
2008527947.tif 000011
【図１０】
2008527947.tif 000012
【図１１】
2008527947.tif 000013
【図１２】
2008527947.tif 000014
【図１３】
2008527947.tif 000015
【図１４】
2008527947.tif 000016
【図１５】
2008527947.tif 000017
【図１６】
2008527947.tif 000018
【図１７】
2008527947.tif 000019
【手続補正書】
【提出日】平成19年9月19日(2007.9.19)
【手続補正１】
【補正対象書類名】特許請求の範囲
【補正対象項目名】全文
【補正方法】変更
【補正の内容】
【特許請求の範囲】
【請求項１】
通信ケーブルにおいて、
複数の導体対と、
少なくとも二つのエーリアン漏話抑制コアとを有し、
前記エーリアン漏話抑制コアの各々は、前記通信ケーブルの一部で、前記複数の導体対のうちの一つの導体対を取り囲み、前記エーリアン漏話抑制コアの各々は二つの半部を含み、これらの半部は、前記導体対のうちの前記一つの導体対の周囲に設置され且つハウジング内に取り付けられ、
前記ハウジングは、前記エーリアン漏話抑制コアを離間する、通信ケーブル。
【請求項２】
請求項１に記載の通信ケーブルにおいて、
前記エーリアン漏話抑制コアは、フェライトコアである、通信ケーブル。
【請求項３】
請求項１に記載の通信ケーブルにおいて、更に、
前記漏話抑制コアの周囲に組み立てられる外ハウジングを有する、通信ケーブル。
【請求項４】
請求項３に記載の通信ケーブルにおいて、更に、
前記外ハウジングの端部に位置決めされた応力解放部材を有する、通信ケーブル。
【請求項５】
請求項１に記載の通信ケーブルにおいて、
前記ハウジングは、前記エーリアン漏話抑制コアによって取り囲まれていない導体対を離し、通す、通信ケーブル。
【請求項６】
請求項１に記載の通信ケーブルにおいて、
前記ハウジングは、前記導体対の各々を個々に通すチャンネルを含む、通信ケーブル。
【請求項７】
請求項１に記載の通信ケーブルにおいて、
前記ハウジングは、前記エーリアン漏話抑制コアを収容するように形成された第１領域と、該第１領域と隣接した、前記導体対を収容するように形成された第２領域とを有する、通信ケーブル。
【請求項８】
請求項１に記載の通信ケーブルにおいて、
前記エーリアン漏話抑制コアの各々の内面及び外面は形状が異なる、通信ケーブル。
【請求項９】
請求項１に記載の通信ケーブルにおいて、更に、
前記通信ケーブルの各端にコネクタを有し、このコネクタは前記ハウジング内に配置されていない、通信ケーブル。
【請求項１０】
通信ケーブルにおいて、
複数の導体対と、
ハウジングと、
複数のエーリアン漏話抑制コアとを含み、
前記エーリアン漏話抑制コアの各々は、前記複数の導体対のうちの一つの導体対を取り囲み、前記エーリアン漏話抑制コアの各々は、前記一つの導体対の周囲に配置され且つ前記ハウジング内に取り付けられる分離可能な区分を有し、前記ハウジングは、前記エーリアン漏話抑制コアを通って延びる前記導体対、及び前記エーリアン漏話抑制コアを通って延びていない導体対の両方を、離し、通す、通信ケーブル。
【請求項１１】
請求項１０に記載の通信ケーブルにおいて、
前記ハウジングは、前記導体対の各々を個々に通すチャンネルを有する、通信ケーブル。
【請求項１２】
請求項１０に記載の通信ケーブルにおいて、
前記ハウジングは、前記エーリアン漏話抑制コアを収容するように形成された第１領域と、該第１領域と隣接した、前記エーリアン漏話抑制コアによって取り囲まれていない導体対を収容するように形成された第２領域とを含む、通信ケーブル。
【請求項１３】
請求項１０に記載の通信ケーブルにおいて、
前記エーリアン漏話抑制コアの各々の内面及び外面は形状が異なる、通信ケーブル。
【請求項１４】
請求項１０に記載の通信ケーブルにおいて、
前記エーリアン漏話抑制コアを通って延びる全ての前記導体対よりも少数である、通信ケーブル。
【請求項１５】
請求項１０に記載の通信ケーブルにおいて、更に、
前記漏話抑制コアの周囲に組み立てた外ハウジングを有する、通信ケーブル。
【請求項１６】
通信ケーブルにおいて、
複数の導体対と、
チャンネル及び保持領域を含むハウジングと、
複数のエーリアン漏話抑制コアとを含み、
前記エーリアン漏話抑制コアの各々は、前記複数の導体対のうちの一つの導体対を取り囲み、前記エーリアン漏話抑制コアの各々は、前記一つの導体対の周囲に配置され、前記保持領域の一つ内に取り付けられる区分を有し、前記ハウジングは、前記導体対を前記チャンネルを通して個々に離し、通し、更に、
前記ハウジングの周囲の外ハウジングを含む、通信ケーブル。
【請求項１７】
請求項１６に記載の通信ケーブルにおいて、
前記チャンネルの内面及び前記保持領域は円筒形でない、通信ケーブル。
【請求項１８】
通信ケーブルにおいて、
複数の導体対と、
少なくとも二つのエーリアン漏話抑制コアとを有し、
前記エーリアン漏話抑制コアの各々は、前記通信ケーブルの一部で、前記複数の導体対のうちの一つの導体対を取り囲み、前記エーリアン漏話抑制コアの各々は二つの半部を有し、これらの半部は、前記導体対のうちの前記一つの導体対の周囲に設置され且つ前記ハウジング内に取り付けられ、
前記ハウジングは、前記導体対の各々を個々に通すチャンネルを有する、通信ケーブル。
【請求項１９】
請求項１８に記載の通信ケーブルにおいて、
前記エーリアン漏話抑制コアは、フェライトコアである、通信ケーブル。
【請求項２０】
請求項１８に記載の通信ケーブルにおいて、更に、
前記漏話抑制コアの周囲に組み立てられる外ハウジングを有する、通信ケーブル。
【請求項２１】
請求項２０に記載の通信ケーブルにおいて、更に、
前記外ハウジングの端部に位置決めされた応力解放部材を有する、通信ケーブル。
【請求項２２】
請求項１８に記載の通信ケーブルにおいて、
前記ハウジングは、前記エーリアン漏話抑制コアを収容するように形成された第１領域と、該第１領域と隣接した、導体対を収容するように形成された第２領域とを含む、通信ケーブル。
【国際調査報告】
2008527947.tif 000020
2008527947.tif 000021